(57)【要約】【課題】ＦＰＣを簡単かつ確実に支持できる遊技機を提供する。【解決手段】カバー３２の背面には、ホルダ６０が設けられている。ホルダ６０は、ＦＰＣ４６が装着される装着板６２と、装着板６２の両側部に設けられた２枚で一対の側板６４ａ、６４ｂを備えている。側板６４ａ、６４ｂには、装着板６２の幅方向中央へ向けて突出するように形成された抑え爪７０ａ、７０ｂが設けられている。ＦＰＣ４６は、ベースフイルム上に配線が並べられた配線領域６９と、ベースフイルムを側方に拡幅することによって形成された第２非配線領域７２ａ、７２ｂを備えており、抑え爪７０ａ、７０ｂは、第２非配線領域７２ａ、７２ｂに対応する位置に設けられ、第２非配線領域７２ａ、７２ｂを背面側から抑えつけるようにして支持する。【選択図】図３
2020000391.tif 000002
【特許請求の範囲】
【請求項１】
柔軟な帯状の配線体と、前記配線体を装着可能なホルダと、を備えた遊技機において、
前記配線体は、配線領域と、前記配線領域の側方に形成された非配線領域と、を有し、
前記非配線領域は、第１非配線領域と、前記第１非配線領域から側方に延出して形成された複数の第２非配線領域と、を有し、
前記ホルダは、前記配線体が装着された状態において前記第２非配線領域と係合する係合部を有することを特徴とする遊技機。
【請求項２】
表示装置保護部が背後に設けられた表示装置本体の背面に付設され、前記表示装置本体の識別情報が表示される識別情報表示部、を備え、
前記表示装置保護部には、前記識別情報表示部の前記識別情報を前記表示装置保護部の外側から視認可能とし、かつ、前記表示装置本体に接続される前記配線体を挿通可能とする孔部が設けられ、
前記識別情報は、前記配線体が前記表示装置本体に接続された状態であっても前記孔部を介して視認可能であることを特徴とする請求項１記載の遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置される遊技機としてスロットマシンが広く知られている。スロットマシンには、各種の電気部品が収められており、これらがＦＰＣ（フレキシブルプリント配線板）やＦＦＣ（フレキシブルフラットケーブル）などの配線体（柔軟（フレキシブル）な帯状の配線体）を介して互いに接続されている。また、下記特許文献１には、幅が異なる２枚の配線体について、幅が細い配線体を拡幅させて２枚の配線体の幅を揃えることにより、配線体を取り扱う作業者が２枚の配線体を重ねて把持し易いようにした例が記載されている。
【先行技術文献】
【特許文献】
【０００３】
【特許文献１】特開２０１５−００２９４５
【発明の概要】
【発明が解決しようとする課題】
【０００４】
しかしながら、上記特許文献１では、作業者が配線体を把持する際の把持性については向上するものの、スロットマシンに配線体を装着するための構成については配慮されていない。このため、配線体の位置が定まらずに他の部品と接触して破損してしまうなどの問題があった。
【０００５】
本発明は、上記背景を鑑みてなされたものであり、配線体を簡単に装着して支持できる遊技機を提供することを目的としている。
【課題を解決するための手段】
【０００６】
上記目的を達成するために、本発明の遊技機は、
柔軟な帯状の配線体と、前記配線体を装着可能なホルダと、を備えた遊技機において、
前記配線体は、配線領域と、前記配線領域の側方に形成された非配線領域と、を有し、
前記非配線領域は、第１非配線領域と、前記第１非配線領域から側方に延出して形成された複数の第２非配線領域と、を有し、
前記ホルダは、前記配線体が装着された状態において前記第２非配線領域と係合する係合部を有することを特徴としている。
【０００７】
表示装置保護部が背後に設けられた表示装置本体の背面に付設され、前記表示装置本体の識別情報が表示される識別情報表示部、を備え、
前記表示装置保護部には、前記識別情報表示部の前記識別情報を前記表示装置保護部の外側から視認可能とし、かつ、前記表示装置本体に接続される前記配線体を挿通可能とする孔部が設けられ、
前記識別情報は、前記配線体が前記表示装置本体に接続された状態であっても前記孔部を介して視認可能であってもよい。
【発明の効果】
【０００８】
本発明は、配線体の側端部に設けられた第２非配線領域を、ホルダの係合部と係合させることにより、配線体がホルダに装着されるので、配線体を簡単に装着して支持できる。
【０００９】
また、識別情報表示部を視認可能にする孔部を通して配線体を表示装置本体に接続することにより、孔部とは別に開口を設けてこの開口を通して配線体を表示装置本体に接続する場合と比較して、製造コストを抑えることや表示装置保護部の強度を向上させることができる。
【図面の簡単な説明】
【００１０】
【図１】スロットマシンを前面側から観察した状態を示す外観図である。
【図２】液晶ディスプレイを背面側から観察した状態を示す外観図である。
【図３】液晶ディスプレイからホルダとＦＰＣを分離させた状態を示す分解図である。
【図４】ＦＰＣをホルダに装着する手順を示す説明図である。
【図５】ＦＰＣの外観図である。
【図６】ＦＰＣの外観図である。
【図７】基板側コネクタと配線側コネクタの外観図である。
【図８】ホルダとＦＰＣの外観図である。
【図９】ホルダとＦＰＣの外観図である。
【発明を実施するための形態】
【００１１】
図１に示すように、スロットマシン（遊技機）１０は、収納箱１１と、前面扉１２とを備え、これらから遊技機本体が構成されている。収納箱１１には、複数のリールがユニット化されたリールユニットや、メダルの払い出しを行うホッパ装置などが収納されている。前面扉１２は、上扉１２ａと下扉１２ｂとに分割されており、これら上扉１２ａ及び下扉１２ｂはそれぞれ収納箱１１に軸着され、開閉自在に支持されている。
なお、以下では、スロットマシン１０の上面側を「上」、下面側を「下」、スロットマシン１０のうち、遊技者（スロットマシン１０で遊技する遊技者）側を「前」、スロットマシン１０のうち遊技者とは反対側を「後」、スロットマシン１０に向かって左側（遊技者の左手側）を「左」、スロロットマシン１０に向かって右側（遊技者の右手側）を「右」として説明を行う。
【００１２】
上扉１２ａには、その前面に、各種画像を表示する液晶ディスプレイ１５、及び、リールを視認させるための透明窓１６が設けられている。リールの外周面には複数種類の図柄が配列されており、リールが停止した状態では、透明窓１６を通して１つのリールにつき３個の図柄が表示される。
【００１３】
下扉１２ｂには、メダルを投入するメダル投入口２２、クレジットされたメダルをベットする際に操作されるベットボタン２３、遊技を開始する際に操作されるスタートレバー２４、回転しているリールを停止させるためのストップボタン２６ａ〜２６ｃ、ホッパ装置から払い出されたメダルを受けるメダル受け皿２８、クレジットされたメダルを清算するための清算ボタン２９が設けられている。
【００１４】
スロットマシン１０では、メダル投入口２２にメダルを投入、または、ベットボタン２３操作することによりメダルがベットされるとスタートレバー２４が有効化され、有効化されたスタートレバー２４を操作すると遊技が開始される。遊技が開始されると内部抽選が実行される。内部抽選では、複数の当選エリアのいずれかが決定され、決定された当選エリアに割り当てられている役が当選（当選役）となる。また、遊技が開始されるとリールが回転を開始する。リールの回転速度が一定速度に到達して定常回転となるとストップボタン２６ａ〜２６ｃの操作が有効化され、有効化されたストップボタン２６ａ〜２６ｃを操作すると操作されたストップボタンに対応するリールを停止させることができる。そして、全てのリールが停止したときに、当選役に対応する図柄組合せが表示されると、この当選役が入賞となり、入賞した当選役に対応する処理（入賞処理）が実行される。
【００１５】
図２、図３に示すように、液晶ディスプレイ１５（表示装置本体）は、液晶の封入された液晶パネル（図示せず）や、液晶パネルの背面に配置されて液晶パネルを駆動制御する表示制御基板３０を備えている。そして、液晶ディスプレイ１５（表示装置本体）は、カバー３２（表示装置保護部）によって背面側から覆われている。換言すると、カバー３２（表示装置保護部）は、液晶ディスプレイ１５（表示装置本体）の背後に設けられている。
【００１６】
カバー３２には、開口３４、開口３６（孔部）が設けられており、開口３４にはＦＰＣ４４（配線体）が、開口３６にはＦＰＣ４６が、それぞれ挿通されている。ＦＰＣ４４、４６は、柔軟（フレキシブル）な帯状の配線体であり、より具体的には、柔軟（フレキシブル）に屈曲可能な薄型で帯状の配線体である。ＦＰＣ４４、４６は、長手方向と直行する幅方向に複数の配線が並べられ、液晶ディスプレイ１５とは異なる別部品から液晶ディスプレイ１５へ向けて延びている。そして、ＦＰＣ４４は、先端に設けられた配線側コネクタ４８が、開口３４の奥に設けられた基板側コネクタ５０に係合されることにより、液晶ディスプレイ１５（表示制御基板３０）と電気的に接続される。同様に、ＦＰＣ４６は、先端に設けられた配線側コネクタ５２が、開口３６の奥に設けられた基板側コネクタ５４に係合されることにより、液晶ディスプレイ１５（表示制御基板３０）と電気的に接続される。
【００１７】
このように、開口３４はＦＰＣ４４を挿通する機能を有し、開口３６はＦＰＣ４６を挿通する機能を有しているが、開口３６は、開口３４よりも大型に形成されており、前述したＦＰＣ４６を挿通させる機能に加え、製品（スロットマシン１０や液晶ディスプレイ１５）を識別するための識別情報を視認可能とする機能も有している。つまり、開口３６は、表示制御基板３０のうち基板側コネクタ５４の下方部分を露呈するように下方へ大型化されており、このように大型化されて露呈された液晶ディスプレイ１５（表示制御基板３０）の背面に、識別情報が表示された識別情報表示部５６が設けられている（付設されている）。これにより、開口３６を通して、カバー３２（表示装置保護部）の外側（本実施形態では、背面側）から識別情報表示部５６の識別情報を視認できるようになっている。
【００１８】
なお、識別情報としては、製造年月日、製造元、製造番号、モデルナンバー、ロット管理のための情報、リユースのための管理情報などが挙げられる。
また、識別情報は、文字や数字、記号などの他、光学的に読み取り可能な２次元コード（例えば、バーコードやＱＲコード（登録商標）など）、ホログラムなどを用いて表示される。
さらに、識別情報表示部に表示する識別情報は、１種類に限定されず、複数種類の識別情報を表示してもよい。また、識別情報に関連する関連情報を識別情報として表示してもよい。例えば、本実施形態では、右側（液晶ディスプレイ１５の背面に向かって左側）にバーコードの形態で識別情報を表示し、左側（液晶ディスプレイ１５の背面に向かって右側）に文字や数字、記号の形態で関連情報を表示している。
また、識別情報表示部５６は、識別情報がプリント（表示）されたシールやプレートを液晶ディスプレイ１５の背面に貼り付けることで付設してもよいし、液晶ディスプレイ１５の背面に直に、識別情報をプリントや刻印するなどによって付設してもよい。
【００１９】
そして、このように開口３６に、ＦＰＣ４６を挿通する機能と識別情報表示部５６の識別情報を視認可能とする機能とを付与することで、ＦＰＣ４６を挿通する開口と識別情報表示部５６の識別情報を視認可能とするための開口とを別個に設ける場合と比較して、製造コストを抑え、かつ、カバー３２（表示装置保護部）の強度を向上させることができる。
【００２０】
なお、本実施形態では、基板側コネクタ５４が下方を向けて配置（基板側コネクタ５４のうち配線側コネクタ５２と当接する面が下方を向けて配置）されており、ここに下方から配線側コネクタ５２を係合させる構成としている。このため、自然な状態ではＦＰＣ４６が下方へと向かい、ＦＰＣ４６により識別情報表示部５６が覆われてしまい、識別情報を視認し難いといった問題がある。よって、本実施形態では、ＦＰＣ４６を開口３６の中心から遠ざかる方向（本実施形態では水平方向）へ向けて折り曲げ、識別情報表示部５６を露呈させている。こうすることで、識別情報表示部５６の識別情報を視認可能としている（ＦＰＣ４６が液晶ディスプレイ１５（表示制御基板３０）に接続された状態（配線側コネクタ５２が基板側コネクタ５４に接続された状態）であっても識別情報表示部５６の識別情報が視認可能である）。なお、識別情報表示部５６の識別情報は、全ての識別情報の全ての領域が視認可能となっている必要はなく、少なくとも一部の識別情報の少なとも一部の領域が視認可能となっていればよい。
【００２１】
カバー３２の背面には、ホルダ６０が設けられており、上述のように折り曲げられたＦＰＣ４６は、ホルダ６０に装着されて支持される。
ホルダ６０は、ＦＰＣ４６が装着される装着板６２と、装着板６２の両側部（図２、図３において装着板６２の上下）に設けられた２枚で一対の側板６４ａ、６４ｂ（側壁）とを備えている。
装着板６２は、左右に長く、カバー３２の背面に平行な板状に形成され、ＦＰＣ４６は、装着板６２の背面に片面を対面させた状態で装着される。
【００２２】
装着板６２は、側板６４ａ、６４ｂにより、カバー３２の背面から離間（２ｍｍ〜５ｍｍ程度離間）された位置に支持されている。つまり、装着板６２とカバー３２の背面との間には隙間が形成されている。そして、この隙間を経由するように、ＦＰＣ４４が配されている。側板６４ａ、６４ｂは、左右に長く、カバー３２の背面に垂直な板状に形成され、一側部（カバー３２側の側部）には、切り欠き６６ａ、６６ｂが形成されている。ＦＰＣ４４は、この切り欠き６６ａ、６６ｂに挿通され、左右及び背面側への移動が規制される。
【００２３】
また、側板６４ａ、６４ｂの他側部（カバー３２から遠い側の側部）は、装着板６２よりも背面側に突出されている。すなわち、ホルダ６０は、装着板６２の前方（カバー３２側）に側板６４ａ、６４ｂの一側部が突出し、かつ、装着板６２の後方（カバー３２から遠い側）に、側板６４ａ、６４ｂの他側部が突出した、断面Ｉ形状に形成されている。そして、ＦＰＣ４６は、装着板６２と側板６４ａ、６４ｂの他側部（装着板６２から背面側に突出した部分）とにより形成される溝の内部に装着される。これにより、ＦＰＣ４６の上下方向への移動を規制できることに加えて、ＦＰＣ４６の不要な接触、例えば、液晶ディスプレイ１５の背面に配置される部材との接触などを防止できる。
【００２４】
さらに、図４（ａ）、（ｂ）に示すように、側板６４ａ、６４ｂの他側部には、装着板６２の幅方向中央へ向けて突出するように形成された抑え爪７０ａ、７０ｂ（係合部）が設けられている。
ＦＰＣ４６は、ベースフイルムの片面に配線が配されたものであり、幅方向に複数の配線が並べられた帯状の配線領域６９と、配線領域６９の側方に形成された非配線領域とを有している。また、非配線領域は、配線領域６９に隣接して設けられた第１非配線領域７１ａ、７１ｂと、第１非配線領域７１ａ、７１ｂから側方に延出して形成された複数の第２非配線領域７２ａ、７２ｂとを有している。これにより、ＦＰＣ４６の側端部は、第１、第２非配線領域７１ａ、７１ｂ、７２ａ、７２ｂのいずれかから構成される。換言すると、ＦＰＣ４６のうち第２非配線領域７２ａ（または、第２非配線領域７２ｂ）が設けられている部分については、第２非配線領域７２ａ（または、第２非配線領域７２ｂ）の分だけＦＰＣ４６が拡幅されているため、第２非配線領域７２ａ（または、第２非配線領域７２ｂ）がＦＰＣ４６の側端部を構成する。他方、ＦＰＣ４６のうち第２非配線領域７２ａ（または、第２非配線領域７２ｂ）が設けられていない部分（隣り合う第２非配線領域７２ａ同士の間（または隣り合う第２非配線領域７２ｂ同士の間）に存在する切り欠き状の部分）については、ＦＰＣ４６は拡幅されていないため、第１非配線領域７１ａ（または、第１非配線領域７１ｂ）がＦＰＣ４６の側端部を構成する。なお、以下では、第２非配線領域７２ａ同士の間に存在する切り欠き状の部分を非拡幅部７３ａ、第２非配線領域７２ｂ同士の間に存在する切り欠き状の部分を非拡幅部７３ｂとして説明を行う。
そして、抑え爪７０ａ、７０ｂは、ホルダ６０にＦＰＣ４６を装着した状態において、第２非配線領域７２ａ、７２ｂに対応する位置に設けられている。これにより、ホルダ６０にＦＰＣ４６を装着した状態においては、抑え爪７０ａ、７０ｂと第２非配線領域７２ａ、７２ｂとが係合し、第２非配線領域７２ａ、７２ｂが背面側から抑えられて、ＦＰＣ４６の背面側への移動が規制される（ホルダ６０（装着板６２）から離間する方向へＦＰＣ４６が移動することが規制される）。
【００２５】
図４（ａ）に示すように、ＦＰＣ４６は、抑え爪７０ａ、７０ｂが形成されていない部分に第２非配線領域７２ａ、７２ｂが位置するようにホルダ６０（装着板６２）にセットされた非支持位置から、同図（ｂ）に示すように、第２非配線領域７２ａ、７２ｂが抑え爪７０ａ、７０ｂによって背面側から抑えられて、ホルダ６０から離間する方向への移動が規制される支持位置（抑え爪７０ａ、７０ｂと第２非配線領域７２ａ、７２ｂとが係合する位置）まで長手方向（本実施形態では水平（左右）方向）に沿ってスライドされることによってホルダ６０に装着される。
このように、スロットマシン１０では、ＦＰＣ４６を簡単に装着して支持できる。
【００２６】
また、図４（ａ）、（ｂ）に示すように、ＦＰＣ４６の上側部分について、第２非配線領域７２ａの各々は、その長さＷ２ａ（ＦＰＣ４６の長手方向（図４の左右方向）の長さ）が、各第２非配線領域７２ａに隣接する非拡幅部７３ａの長さＷ１ａ（ＦＰＣ４６の長手方向（図４の左右方向）の長さ）よりも短く形成されている。
さらに、各第２非配線領域７２ａの長さＷ２ａを合計した第２非配線領域合計長さは、各非拡幅部７３ａの長さＷ１ａを合計した非拡幅部合計長さよりも短く形成されている。換言すると、第２非配線領域７２ａの設けられた部分の割合が、非拡幅部７３ａの設けられた部分の割合よりも小さく形成されている。
また、第２非配線領域７２ａは、ＦＰＣ４６の幅方向外側（図４の上側）へ向かうほど、ＦＰＣ４６の長手方向の長さが短くなる先細りの形状に形成されており、第２非配線領域７２ａと第２非配線領域７２ａに隣接する非拡幅部７３ａとの間の境界が上下方向（ＦＰＣ４６の幅方向）に対して傾斜されている。
さらに、第２非配線領域７２ａの長さＷ２ａは、抑え爪７０ａの長さＷａ（図４の左右方向の長さ）よりも長く形成されている。
また、第２非配線領域７２ａの高さＨ２ａ（図４の上下方向の長さ）は、抑え爪７０ａの高さＨａ（図４の上下方向の長さ）よりも高く形成されている。
このような構成とすることで、ＦＰＣ４６の着脱性を向上させている。
【００２７】
同様に、ＦＰＣ４６の下側部分について、第２非配線領域７２ｂの各々は、その長さＷ２ｂ（ＦＰＣ４６の長手方向（図４の左右方向）の長さ）が、各第２非配線領域７２ｂに隣接する非拡幅部７３ｂの長さＷ１ｂ（ＦＰＣ４６の長手方向（図４の左右方向）の長さ）よりも短く形成されている。
さらに、各第２非配線領域７２ｂの長さを合計した第２非配線領域合計長さは、各非拡幅部７３ｂの長さＷ１ｂを合計した非拡幅部合計長さよりも短く形成されている。換言すると、第２非配線領域７２ｂの設けられた部分の割合が、非拡幅部７３ｂの設けられた部分の割合よりも小さく形成されている。
また、第２非配線領域７２ｂは、ＦＰＣ４６の幅方向外側（図４の下側）へ向かうほど、ＦＰＣ４６の長手方向の長さが短くなる先細りの形状に形成されており、第２非配線領域７２ｂと第２非配線領域７２ｂに隣接する非拡幅部７３ｂとの間の境界が上下方向（ＦＰＣ４６の幅方向）に対して傾斜されている。
さらに、第２非配線領域７２ｂの長さＷ２ｂは、抑え爪７０ｂの長さＷｂ（図４の左右方向の長さ）よりも広く形成されている。
また、第２非配線領域７２ｂの高さＨ２ｂ（図４の上下方向の長さ）は、抑え爪７０ｂの高さＨｂ（図４の上下方向の長さ）よりも高く形成されている。
このような構成とすることで、ＦＰＣ４６の着脱性を向上させている。
【００２８】
なお、上記実施形態では、配線領域６９の側方に形成された非配線領域をさらに側方に延出させた部分を、抑え爪７０ａ、７０ｂによって抑えられる抑え部として機能させる例、すなわち、抑え部が非配線領域である例で説明をしたが、本発明はこれに限定されない。配線領域６９を側方に延出させることによって抑え部を形成してもよい、すなわち、抑え部が配線領域であってもよい。
【００２９】
また、装着板６２と抑え爪７０ａ、７０ｂとの間の隙間（クリアランス）については、自由に設定できるが、装着板６２と抑え爪７０ａ、７０ｂとの間の隙間が狭いと、装着板６２と抑え爪７０ａ、７０ｂとの間で第２非配線領域７２ａ、７２ｂが圧迫されて、ＦＰＣ４６をホルダ６０に装着し難くなってしまう。さらに、第２非配線領域７２ａ、７２ｂに配線を設けた場合には、配線が損傷してしまうおそれもある。このため、装着板６２と抑え爪７０ａ、７０ｂとの間の隙間を第２非配線領域７２ａ、７２ｂの厚みよりも広く（０．５ｍｍ程度広く）、特に、第２非配線領域７２ａ、７２ｂに配線を設けた場合は、装着板６２と抑え爪７０ａ、７０ｂとの間の隙間を第２非配線領域７２ａ、７２ｂの厚みよりも十分に広く（１ｍｍ程度広く）形成することが好ましい。
【００３０】
さらに、ＦＰＣ４６の具体的な構成については、自由に設定できるので、例えば、図５に示すように、上記実施形態（図３参照）と比較して裏返した状態でＦＰＣ４６を用いてもよい。
図５の例では、ＦＰＣ４６は、折り曲げられた部分よりも配線側コネクタ５２側の部分については、配線が設けられた面（以下、配線面）を前面側、ベースフイルム側の面（以下、ベース面）を背面側へ向け、折り曲げられた部分よりも配線側コネクタ５２から遠い側の部分については、配線面を背面側、ベース面を前面側へ向けている。
【００３１】
また、図５の例では、ＦＰＣ４６のベース面（図５の例では折り曲げられた部分よりも配線側コネクタ５２側の部分）に、識別情報表示部８６を設け（付設し）、この識別情報表示部８６に識別情報（図５の例では、指標「ＡＢＣ１２３４」で示すＦＰＣ４６の識別番号）を表示し、この識別情報を外側（背面側）から視認できるようにしている。なお、識別情報表示部８６は、前述した識別情報表示部５６と同様に、識別情報として、製造年月日、製造元、製造番号、モデルナンバー、ロット管理のための情報、リユースのための管理情報など各種情報を表示してよい。また、識別情報は、文字や数字、記号などの他、光学的に読み取り可能な２次元コード、ホログラムなど各種表示態様で表示可能である。さらに、識別情報表示部に表示する識別情報は、１種類に限定されず、複数種類の識別情報を表示してもよい。また、識別情報に関連する関連情報を識別情報として表示してもよい。さらに、識別情報表示部８６は、識別情報がプリント（表示）されたシールやプレートをベース面に貼り付けたり、識別情報をベース面に直にプリントや刻印するなど各種態様で付設できる。なお、識別情報表示部８６を付設する位置についても自由に設定できるが、配線面に付設すると配線により視認性が低下してしまうなどの問題があるため、ベース面に付設することが好ましい。また、開口３６（図２、図３参照）の近傍に付設することが好ましく、特に好ましくは、開口３６の内側に位置するように付設することである。こうすることで、識別情報表示部５６、８６の両方を同時に視認でき、より多くの識別情報を迅速に確認できる。
なお、上述した識別情報、または、識別情報とは別の情報として、ＦＰＣ４６（配線体）の長手方向の端部に、この端部が接続される接続先などの情報を表示してもよい。この場合、例えば、ＦＰＣ４６の一端部（配線側コネクタ５２側）に、ＣＮ（コネクタ）１、他端部にＣＮ２と表示するといったことが考えられる。こうすることで、例えば、配線側コネクタ５２を、基板側コネクタ５４以外のコネクタに接続してしまうなどのコネクタの挿し間違いを防止できる。また、仮に挿し間違いが発生してしまった場合であっても、後の検査などで発見され易い。さらに、上述のように、ＦＰＣ４６の長手方向の端部に、この端部が接続される接続先などの情報を表示することに加えて、例えば、基板側コネクタ５４の背面にもＣＮ１と表示するなど、ＦＰＣ４６の長手方向の端部に表示した情報に対応した情報を、この端部が接続される接続先にも表示してもよい。こうすることで、上述した効果（挿し間違いの防止や挿し間違いの発見の容易さ向上）がより顕著となる。
【００３２】
さらに、図５の例では、ＦＰＣ４６のうち折り曲げられた部分よりも配線側コネクタ５２から遠い側の部分については、配線面が背面側（抑え爪７０ａ、７０ｂ側）を向いているが、第２非配線領域７２ａ、７２ｂを非配線部としているので、抑え爪７０ａ、７０ｂにより配線が傷付くことを防止できる。つまり、実際には配線面には保護層が設けられているが、一般に保護層はベースフイルムよりも薄いなどの事情により配線の保護力が弱く、抑え爪７０ａ、７０ｂとの摺接などにより破損してしまう場合がある。これに対し、図５の例では、第２非配線領域７２ａ、７２ｂを非配線部としているので、仮に抑え爪７０ａ、７０ｂにより保護層が破損しても配線への影響（傷付くなど）を防止できる。
【００３３】
また、上記実施形態では、配線側コネクタ５２側の部分が、配線側コネクタ５２から遠い側の部分の下側（前面側）に位置するように、ＦＰＣ４６を折り曲げる例（図３、図５参照）で説明をしたが、本発明はこれに限定されない。
図６に示すように、配線側コネクタ５２側の部分が、配線側コネクタ５２から遠い側の部分の上側（背面側）に位置するようにＦＰＣ４６を折り曲げてもよい。
【００３４】
さらに、上記実施形態では、基板側コネクタ５４が、配線側コネクタ５２と当接する面を下方へ向けて配置されており、ここに下方から配線側コネクタ５２を係合させる構成を例で説明をしたが、本発明はこれに限定されない。
図７に示すように、基板側コネクタ５４を、配線側コネクタ５２と当接する面を背面側へ向けて配置し、ここに背面側から配線側コネクタ５２を係合させる構成としてもよい。
【００３５】
また、上記実施形態では、ホルダ６０により、ＦＰＣ４６のうち、折り曲げた部分よりも後（配線側コネクタ５２から遠い側）の部分を支持する例（図２、図３参照）で説明をしたが、本発明はこれに限定されない。図８、図９に示すホルダ１００のように、折り曲げた部分や、折り曲げた部分よりも前（配線側コネクタ５２側）の部分についても支持してもよい。
図８、図９において、ホルダ１００は、前述したホルダ６０（図２、図３参照）を配線側コネクタ５２側に延設した延設部１０２を備えており、延設部１０２には、抑え爪１０４ａ、１０４ｂ、１０４ｃが設けられている。
抑え爪１０４ａ、１０４ｂは、配線側コネクタ５２から下方へ向けて延びるＦＰＣ４６の幅方向（左右方向）で対向（対面）するように設けられ、ＦＰＣ４６のうち折り曲げられる部分よりも前（配線側コネクタ５２側）の部分について、両側部（第２非配線領域）を背面側から支持する。なお、ＦＰＣ４６のうち折り曲げられる部分よりも前の部分には、両側部に切り欠き状の非拡幅部１０６ａ、１０６ｂが設けられている。ＦＰＣ４６のうち折り曲げられる部分よりも前の部分については、非拡幅部１０６ａ、１０６ｂの部分に抑え爪１０４ａ、１０４ｂが位置するようにホルダ１００にセットされた後、第２非配線領域７２ａ、７２ｂが抑え爪１０４ａ、１０４ｂの前側に位置し、背面側への移動が規制される位置まで上方にスライドされることによりホルダ１００に装着される。
一方、抑え爪１０４ｃは、ＦＰＣ４６の折り曲げられた部分を支持するために設けられている。抑え爪１０４ｃは、ＦＰＣ４６がホルダ１００に装着された状態において、ＦＰＣ４６の折り曲げられた部分の背面側に位置するように設けられ、この部分の背面側への移動を規制する。
また、抑え爪１０４ｃは、他の抑え爪７０ａ、７０ｂ、１０４ａ、１０４ｂとは異なり、ＦＰＣ４６の幅方向中央部を支持するように設けられており、より確実にＦＰＣ４６の背面側への移動を規制できる。なお、図８、図９の例では、ベース面が外側を向いた状態でＦＰＣ４６が折り曲げられており、抑え爪１０４ｃがベース面を抑える構成としている。これにより、配線面が外側を向いた状態（図５参照）でＦＰＣ４６が折り曲げられており、抑え爪１０４ｃが配線面を抑える構成と比較して、配線の傷付きも防止できる。
【００３６】
なお、本発明は、抑え爪（係合部）により第２非配線領域を抑えてＦＰＣの移動を規制すればよいので、抑え爪や第２非配線領域の形状や数、設ける位置（間隔）については自由に設定できる。例えば、上記実施形態（図４参照）では、抑え爪７０ａと抑え爪７０ｂ（第２非配線領域７２ａと第２非配線領域７２ｂ）とが互い違いに設けられている例で説明をしたが、これらを互いに対向（対面）する位置（ＦＰＣ４６（ホルダ６０）の中心線（幅方向に中心を示す線）に対して抑え爪７０ａと抑え爪７０ｂ（第２非配線領域７２ａと第２非配線領域７２ｂ）とが線対称となる位置）に設けてもよい。
抑え爪７０ａと抑え爪７０ｂ（第２非配線領域７２ａと第２非配線領域７２ｂ）とを互い違いに設けた場合（図４参照）には、ＦＰＣ４６を安定して支持することが可能であり、抑え爪７０ａと抑え爪７０ｂ（第２非配線領域７２ａと第２非配線領域７２ｂ）とを互いに対向する位置に設けた場合には、ホルダ６０やＦＰＣ４６の設計が容易になるといった効果や、ＦＰＣ６０の着脱性を向上できるといった効果が得られる。
【００３７】
さらに、上記実施形態ではホルダ６０（切り欠き６６ａ、６６ｂ）により移動を規制する配線がＦＰＣ４４（ＦＰＣ４４に設けられた配線）である例（図２、図３参照）で説明をしたが、これ以外の配線の移動をホルダ６０により規制してもよい。
もちろん、切り欠き６６ａ、６６ｂと同様の切り欠きを複数箇所に設け、各々の切り欠きでそれぞれ異なる配線の移動を規制してもよい。
【００３８】
なお、上記実施形態では、遊技機としてスロットマシンに本発明を適用する例で説明をしたが、例えば、パチンコ機など、スロットマシン以外の遊技機に対して本発明を適用してもよい。
【００３９】
また、上記実施形態では、配線体がＦＰＣである例で説明をしたが、配線体はＦＦＣであってもよい。配線体がＦＦＣである場合も配線体がＦＰＣである場合と同様に、第２非配線領域を設けて抑え爪により支持することで、上記実施形態と同様の効果、すなわち、配線体（ＦＦＣ）の簡単かつ確実に支持できるといった効果を得られる。
【符号の説明】
【００４０】
１０  スロットマシン（遊技機）
１２  前面扉
１２ａ  上扉
１２ｂ  下扉
１５  液晶ディスプレイ（表示装置本体）
３０  表示制御基板
３２  カバー（表示装置保護部）
３４  開口
３６  開口（孔部）
４４  ＦＰＣ
４６  ＦＰＣ（配線）
５６、８６  識別情報表示部
６０、１００  ホルダ
６２  装着板
６４ａ、６４ｂ  側板（側壁）
６６ａ、６６ｂ  切り欠き
６９  配線領域
７０ａ、７０ｂ、１０４ａ、１０４ｂ、１０４ｃ  抑え爪（係合部）
７１ａ、７１ｂ  第１非配線領域
７２ａ、７２ｂ  第２非配線領域
７３ａ、７３ｂ、１０６ａ、１０６ｂ  非拡幅部
【図１】
2020000391.tif 000003
【図２】
2020000391.tif 000004
【図３】
2020000391.tif 000005
【図４】
2020000391.tif 000006
【図５】
2020000391.tif 000007
【図６】
2020000391.tif 000008
【図７】
2020000391.tif 000009
【図８】
2020000391.tif 000010
【図９】
2020000391.tif 000011